(57)【要約】【課題】階下への重量床衝撃音の伝わりを効果的に低減することができる軽量鉄骨造等における防振床構造を提供する。【解決手段】床板２の下面側に鋼製根太３を備えた床パネル１が、鋼製床梁４上に、防振ゴム６を介して支承されると共に、該床パネル１の鋼製根太３…が階上の鋼製梁９にワイヤー８…で、床パネル１の荷重の一部を床梁４に負担させ、残る一部を階上の梁９に負担させる態様において吊られ、床パネル１の鋼製根太３とワイヤー８、及び／又は、ワイヤー８と階上の梁９とが防振ゴム１０，１１を介して連結されている。【選択図】      図１
2009002072.tif 000002
【特許請求の範囲】
【請求項１】
床板の下面側に鋼製根太を備えた床パネルが、鋼製床梁上に支承されると共に、該床パネルの鋼製根太が階上の鋼製梁に索条で、床パネルの荷重の一部を床梁に負担させ、残る一部を階上の梁に負担させる態様において吊られていることを特徴とする軽量鉄骨造における防振床構造。
【請求項２】
床パネルが床梁上に支承されると共に、該床パネルが階上の梁に索条で、床パネルの荷重の一部を床梁に負担させ、残る一部を階上の梁に負担させる態様において吊られていることを特徴とする防振床構造。
【請求項３】
前記索条に、張力調節機構が備えられている請求項１又は２に記載の防振床構造。
【請求項４】
前記床パネルと床梁の支承部分、床パネルと索条との連結部分、索条と階上の梁との連結部分のうちの少なくとも一つに防振材が設けられている請求項１乃至３のいずれか一に記載の防振床構造。
【発明の詳細な説明】
【技術分野】
【０００１】
本発明は、軽量鉄骨造等における防振床構造に関する。
【背景技術】
【０００２】
例えば、軽量鉄骨造の建物において、階下への重量床衝撃音の伝わりを低減する目的で、床板の下面側に鋼製根太を備えた床パネルを、鋼製床梁上に、防振支承することは、従来より行われている。
【特許文献１】特開２００２−１８０５８５号公報
【発明の開示】
【発明が解決しようとする課題】
【０００３】
しかしながら、上記のような防振支承では、衝撃震動は、防振材を通して少なからず階下に伝わってしまい、防振対策として未だ万全であるとは言い難い状況にある。
【０００４】
本発明は、上記のような問題点に鑑み、階下への重量床衝撃音の伝わりを効果的に低減することができる軽量鉄骨造等における防振床構造を提供することを課題とする。
【課題を解決するための手段】
【０００５】
上記の課題は、床板の下面側に鋼製根太を備えた床パネルが、鋼製床梁上に支承されると共に、該床パネルの鋼製根太が階上の鋼製梁に索条で、床パネルの荷重の一部を床梁に負担させ、残る一部を階上の梁に負担させる態様において吊られていることを特徴とする軽量鉄骨造における防振床構造によって解決される（第１発明）。
【０００６】
この構造では、床パネルの鋼製根太が階上の鋼製梁に索条で、床パネルの荷重の一部を床梁に負担させ、残る一部を階上の梁に負担させる態様において吊られているので、床パネルに伝えられた衝撃振動は、索条を通じて、階上の梁側にも伝えられて逃がされ、そのため、階下への重量床衝撃音の伝わりを効果的に低減することができる。
【０００７】
しかも、床パネルは、その荷重の一部を床梁に負担させ、残る一部を階上の梁に負担させる態様において吊られているので、地震等による水平振動で床パネルが振り子運動をしてしまうことはないし、振り子運動阻止のための特別の手段を講じておく必要もなく、階下への重量床衝撃音の伝わりを、簡素な構造で低減することができる。
【０００８】
また、上記の課題は、床パネルが床梁上に支承されると共に、該床パネルが階上の梁に索条で、床パネルの荷重の一部を床梁に負担させ、残る一部を階上の梁に負担させる態様において吊られていることを特徴とする防振床構造によっても解決される（第２発明）。
【０００９】
即ち、床パネルは、床板の下面側に鋼製根太を備えたものに限らず、ＡＬＣ版を用いた床パネルや、木根太を用いた床パネルなどであってもよく、また、床梁や階上の梁についても鋼製のものに限らないし、また、防振床構造は、軽量鉄骨造におけるものにも限らない。
【００１０】
第１，２発明において、索条に、張力調節機構が備えられているとよい（第３発明）。この場合は、張力調節機構によって、床パネルの荷重負担割合を、施工やメンテナンス等において容易に調整することができる。
【００１１】
第１〜第３発明において、床パネルと床梁の支承部分、床パネルと索条との連結部分、索条と階上の梁との連結部分のうちの少なくとも一つに防振材が設けられているとよい（第４発明）。
【００１２】
この場合は、床パネルと床梁の支承部分に防振材が設けられていれば、床梁への衝撃振動の伝わりを抑制することができて、階下への重量床衝撃音の伝わりをより一層効果的に低減することができる。また、床パネルと索条との連結部分や、索条と階上の梁との連結部分に、防振材が設けられていれば、階上の梁への衝撃振動の伝わりを抑制することができて、階下への重量床衝撃音の伝わりを効果的に低減することができる。
【発明の効果】
【００１３】
本発明は、以上のとおりのものであるから、階下への重量床衝撃音の伝わりをより一層効果的に低減することができ、しかも、それを簡素な構造で実現することができる。
【発明を実施するための最良の形態】
【００１４】
次に、本発明の実施最良形態を図面に基づいて説明する。
【００１５】
図１〜図３に示す実施形態の防振床構造は、軽量鉄骨造の建物における防振床構造で、床パネル１は、床板２の下面側に角筒状の複数本の鋼製根太３…を並列状態に備えたものからなっていて、各鋼製根太３…は、Ｈ形鋼からなる床梁４の上フランジ４ａ上に防振材としての防振ゴム６を介して支承されている。
【００１６】
また、本実施形態では、図１（ロ）に拡大して示すように、鋼製根太３を床梁４に対して位置決め状態にするための固定金物５が備えられ、床梁４の上フランジ４ａを、鋼製根太３と固定金物５とで上下方向から挟むようになされていて、床梁４の上フランジ４ａの固定金物５との間にも防振材としての防振ゴム７が介設されている。本実施形態では、これら防振ゴム６，７が、床パネルと床梁の支承部分における防振材を構成している。
【００１７】
そして、上記の床パネル１において、各鋼製根太３には、索条としての鋼製ワイヤー８の一方の端部が連結されると共に、該鋼製ワイヤー８のもう一方の端部が、Ｈ形鋼からなる階上の鋼製梁９の下フランジ９ａに連結され、床パネル１は、その荷重の一部を床梁４に負担させ、残る一部を階上の梁に負担させるように吊られ、図１（ロ）に拡大して示すように、鋼製根太３とワイヤー８、及び、ワイヤー８と階上の梁９とが防振材としての防振ゴム１０，１１を介して連結されている。
【００１８】
１２は張力調節機構としてのターンバックルで、該ターンバックル１２を操作することにより、床パネル１の荷重負担割合を、施工やメンテナンス等において調整することができるようになされている。なお、各ワイヤー８…は、図３に示すように、壁１３内に隠蔽状態に隠しておくのが好ましい。また、１４は天井板、１５はその上面側に設けられた断熱材、１６は天井吊り金物である。
【００１９】
上記の防振床構造では、床パネル１の鋼製根太３…が階上の鋼製梁９にワイヤー８で、床パネル１の荷重の一部を鋼製床梁４に負担させ、残る一部を階上の鋼製梁９に負担させるように吊られているので、床パネル１に伝えられた衝撃振動は、ワイヤー８を通じて、階上の鋼製梁９の側にも伝えられて逃がされ、そのため、階下への重量床衝撃音の伝わりを、効果的に低減することができる。
【００２０】
しかも、床パネル１は、その荷重の一部を床梁４に負担させ、残る一部を階上の梁９に負担させるように吊られているので、地震等による水平振動で床パネル１が水平方向に振り子運動をしてしまうことはないし、振り子運動阻止のための特別の手段を講じておく必要もなく、階下への重量床衝撃音の伝わりを、簡素な構造で低減することができる。
【００２１】
加えて、本実施形態では、床パネル１と床梁４の支承部分に防振材６，７が設けられているので、床梁４への衝撃振動の伝わりを抑制することができて、階下への重量床衝撃音の伝わりをより一層効果的に低減することができる。また、床パネル１の鋼製根太３とワイヤー８、及び、ワイヤー８と階上の梁９とが防振ゴム１０，１１を介して連結されているので、ワイヤー８を通じた階上の梁９への衝撃振動の伝わりを抑制することができて、階下への重量床衝撃音の伝わりを、いよいよ低減することができる。
【００２２】
以上に、本発明の実施形態を示したが、本発明はこれに限られるものではなく、発明思想を逸脱しない範囲で各種の変更が可能である。例えば、上記の実施形態では、床パネル１と床梁４の支承部分に防振ゴム６，７が設けられると共に、床パネル１の鋼製根太３とワイヤー８、及び、ワイヤー８と階上の梁９とが防振ゴム１０，１１を介して連結された構造としているが、これら防振ゴム６，７，１０，１１のすべてが省略されていてもよいし、これら防振ゴム６，７，１０，１１のうちのいずれか１つ、ないしは、いずれか２つ以上が備えられた構造に構成されていてもよい。
【図面の簡単な説明】
【００２３】
【図１】図（イ）は実施形態の防振床構造を示す断面正面図、図（ロ）は要部拡大断面正面図である。
【図２】同防振床構造の断面斜視図である。
【図３】同防振床構造の詳細断面正面図である。
【符号の説明】
【００２４】
１…床パネル
２…床板
３…鋼製根太
４…鋼製床梁
６…防振ゴム（防振材）
７…防振ゴム（防振材）
８…ワイヤー（索条）
９…階上の鋼製梁
１０，１１…防振ゴム（防振材）
１２…ターンバックル（張力調節機構）
【図１】
2009002072.tif 000003
【図２】
2009002072.tif 000004
【図３】
2009002072.tif 000005